(57)【要約】【課題】表示の保持のための電力消費量を小さくすることができる電気泳動表示制御装置などを提供する。【解決手段】電気泳動表示制御装置は、粒子を含む分散液を第１の電極と画素電極である第２の電極との間に配置してなる表示部の表示の書き換え期間には、前記第１の電極に対して第１の電圧を印加するとともに、前記第２電極に対して第２の電圧を印加し、前記表示の保持期間には、前記第１電極に対して前記第１の電圧よりも低い第３の電圧を印加するとともに、前記第２の電極に対して前記第２の電圧よりも低い第４の電圧を印加する。【選択図】図１
2017021273.tif 000002
【特許請求の範囲】
【請求項１】
粒子を含む分散液を第１の電極と画素電極である第２の電極との間に配置してなる表示部の表示の書き換え期間には、前記第１の電極に対して第１の電圧を印加するとともに、前記第２の電極に対して第２の電圧を印加し、
前記表示の保持期間には、前記第１の電極に対して前記第１の電圧よりも低い第３の電圧を印加するとともに、前記第２の電極に対して前記第２の電圧よりも低い第４の電圧を印加する、
電気泳動表示制御装置。
【請求項２】
前記第１の電極に対して印加される電圧および前記第２の電極に対して印加される電圧は、定電圧である、
請求項１に記載の電気泳動表示制御装置。
【請求項３】
前記第２の電圧は、前記第１の電圧よりも高く、
前記第４の電圧は、前記第３の電圧以上である、
請求項２に記載の電気泳動表示制御装置。
【請求項４】
前記第１の電極に対して印加される電圧は、パルス電圧である、
請求項１に記載の電気泳動表示制御装置。
【請求項５】
前記表示の書き換え期間には、前記第１の電圧として第１の周期のパルス電圧を印加し、
前記表示の保持期間には、前記第３の電圧として前記第１の周期とは異なる第２の周期のパルス電圧を印加する、
請求項４に記載の電気泳動表示制御装置。
【請求項６】
前記第２の電圧は、前記第１の電圧よりも高い期間があり、
前記第４の電圧は、前記第３の電圧よりも高い期間がある、
請求項４または請求項５のいずれか１項に記載の電気泳動表示制御装置。
【請求項７】
前記第２の電極に対して印加される電圧は、定電圧である、
請求項４から請求項６のいずれか１項に記載の電気泳動表示制御装置。
【請求項８】
請求項１から請求項７のいずれか１項に記載の電気泳動表示制御装置と、前記表示部を備える電気泳動表示装置。
【請求項９】
請求項８に記載の電気泳動表示装置を備える電子機器。
【請求項１０】
粒子を含む分散液を第１の電極と画素電極である第２の電極との間に配置してなる表示部の表示の書き換え期間には、前記第１の電極に対して第１の電圧を印加するとともに、前記第２の電極に対して第２の電圧を印加し、
前記表示の保持期間には、前記第１の電極に対して前記第１の電圧よりも低い第３の電圧を印加するとともに、前記第２の電極に対して前記第２の電圧よりも低い第４の電圧を印加する、
電気泳動表示装置の制御方法。
【発明の詳細な説明】
【技術分野】
【０００１】
本発明は、電気泳動表示制御装置、電気泳動表示装置、電子機器および制御方法に関する。
【背景技術】
【０００２】
電気泳動表示装置（ＥＰＤ：Ｅｌｅｃｔｒｏｐｈｏｒｅｔｉｃ  Ｄｉｓｐｌａｙ）は、例えば、電子ペーパーなどで用いられている。
特許文献１には、駆動用ＴＦＴ（Ｔｈｉｎ  Ｆｉｌｍ  Ｔｒａｎｓｉｓｔｏｒ）とＳＲＡＭ（Ｓｔａｔｉｃ  Ｒａｎｄｏｍ  Ａｃｃｅｓｓ  Ｍｅｍｏｒｙ）とスイッチ回路を用いた画素回路で構成されたＥＰＤが記載されている（特許文献１参照。）。
【０００３】
従来では、ＥＰＤは、書き換え頻度が少ないアプリケーションで用いられており、表示の保持性を重要視した特性を有していた。例えば、表示の書き換え（切り替え）は１分に１回程度行われており、前回の表示の書き換えと今回の表示の書き換えとの間では電源がオフにされて表示内容が維持されていた。表示の書き換えの応答時間は、分散液における粒子（例えば、白に対応する粒子、あるいは、黒に対応する粒子など）の粘性およびそれに応じた移動速度に依存する。従来では、移動速度が遅いが表示の保持性が高い粒子を含む分散液が用いられていた。
【０００４】
しかしながら、近年では、ＥＰＤを利用した表示デバイスにおいて、高反射率特性の利点を活かして、表示の書き換えの応答時間を高速化する要求が高まっている。一例として、ＥＰＤを使用したウェアラブル製品では、製品が使用される状況に応じて、毎秒または１秒未満の頻度で表示を更新する場合、あるいは、毎分程度の頻度で表示を更新する場合が考えられる。この場合、移動速度が速い粒子を含む分散液が用いられるが、表示の保持性が低くなる。表示の保持性が低いと、表示の保持性が高い場合と比べて、電界が印加されない期間が短くても、表示の内容が変化し易い。例えば、表示の書き換え期間が終了した後に画素電極への電圧印加を停止させて低消費駆動を実現すると、無電圧印加のときに粒子が移動して表示画像が劣化してしまう。このため、低保持性の材料を用いたＥＰＤでは、毎分程度の頻度の更新においても、表示を保持するために多くの電力が必要となる。
【先行技術文献】
【特許文献】
【０００５】
【特許文献１】特開２００８−２６８８５３号公報
【発明の概要】
【発明が解決しようとする課題】
【０００６】
上述のように、電気泳動表示装置において、特に、表示の保持性が低い場合に、表示の保持のための電力消費量が大きい場合があった。
【０００７】
本発明は、前記の点に鑑み為されたものであり、表示の保持のための電力消費量を小さくすることができる電気泳動表示制御装置、電気泳動表示装置、電子機器および制御方法を提供することを目的とする。
【課題を解決するための手段】
【０００８】
上記課題の少なくとも一つを解決するために本発明の一態様は、粒子を含む分散液を第１の電極と画素電極である第２の電極との間に配置してなる表示部の表示の書き換え期間には、前記第１の電極に対して第１の電圧を印加するとともに、前記第２の電極に対して第２の電圧を印加し、前記表示の保持期間には、前記第１の電極に対して前記第１の電圧よりも低い第３の電圧を印加するとともに、前記第１の電極に対して前記第２の電圧よりも低い第４の電圧を印加する、電気泳動表示制御装置である。
この構成により、電気泳動表示制御装置では、表示の書き換え期間と比べて、表示の保持期間には、第１の電極および第２の電極に対して、より低い電圧を印加する。これにより、電気泳動表示制御装置では、表示の保持のための電力消費量を小さくすることができる。
【０００９】
本発明の一態様は、電気泳動表示制御装置において、前記第１の電極に対して印加される電圧および前記第２の電極に対して印加される電圧は、定電圧である、構成が用いられてもよい。
この構成により、電気泳動表示制御装置では、第１の電極および第２の電極に対して定電圧を印加する。これにより、電気泳動表示制御装置では、第１の電極および第２の電極に対して定電圧を印加する場合に、表示の保持のための電力消費量を小さくすることができる。
【００１０】
本発明の一態様は、電気泳動表示制御装置において、（第１の電極および第２の電極に対して定電圧を印加する場合に、）前記第２の電圧は、前記第１の電圧よりも高く、前記第４の電圧は、前記第３の電圧以上である、構成が用いられてもよい。
この構成により、電気泳動表示制御装置では、第１の電極および第２の電極に対して前記のような定電圧を印加する。これにより、電気泳動表示制御装置では、第１の電極および第２の電極に対して定電圧を印加する場合に、表示の保持のための電力消費量を小さくすることができる。
【００１１】
本発明の一態様は、電気泳動表示制御装置において、前記第１の電極に対して印加される電圧は、パルス電圧である、構成が用いられてもよい。
この構成により、電気泳動表示制御装置では、第１の電極に対してパルス電圧を印加する。これにより、電気泳動表示制御装置では、第１の電極に対してパルス電圧を印加する場合に、表示の保持のための電力消費量を小さくすることができる。
【００１２】
本発明の一態様は、電気泳動表示制御装置において、前記表示の書き換え期間には、前記第１の電圧として第１の周期のパルス電圧を印加し、前記表示の保持期間には、前記第３の電圧として前記第１の周期とは異なる第２の周期のパルス電圧を印加する、構成が用いられてもよい。
この構成により、電気泳動表示制御装置では、第１の電極に対してパルス電圧を印加する場合に、表示の書き換え期間と表示の保持期間とで、パルス電圧の周期を異ならせる。これにより、電気泳動表示制御装置では、第１の電極に対してパルス電圧を印加する場合に、表示の保持のための電力消費量を小さくすることができる。
【００１３】
本発明の一態様は、電気泳動表示制御装置において、（第１の電極に対してパルス電圧を印加する場合に、）前記第２の電圧は、前記第１の電圧よりも高い期間があり、前記第４の電圧は、前記第３の電圧よりも高い期間がある、構成が用いられてもよい。
この構成により、電気泳動表示制御装置では、第１の電極に対して前記のようなパルス電圧を印加する。これにより、電気泳動表示制御装置では、第１の電極に対してパルス電圧を印加する場合に、表示の保持のための電力消費量を小さくすることができる。
【００１４】
本発明の一態様は、電気泳動表示制御装置において、（第１の電極に対してパルス電圧を印加する場合に、）前記第２の電極に対して印加される電圧は、定電圧である、構成が用いられてもよい。
この構成により、電気泳動表示制御装置では、第２の電極に対して定電圧を印加する。これにより、電気泳動表示制御装置では、第１の電極に対してパルス電圧を印加し、第２の電極に対して定電圧を印加する場合に、表示の保持のための電力消費量を小さくすることができる。
【００１５】
上記課題の少なくとも一つを解決するために本発明の一態様は、以上のうちのいずれかの電気泳動表示制御装置と、前記表示部を備える電気泳動表示装置である。
この構成により、電気泳動表示装置では、以上のような電気泳動表示制御装置と、表示部を備える。これにより、電気泳動表示装置では、表示部における表示の保持のための電力消費量を小さくすることができる。
【００１６】
上記課題の少なくとも一つを解決するために本発明の一態様は、上記の電気泳動表示装置を備える電子機器である。
この構成により、電子機器では、上記の電気泳動表示装置を備える。これにより、電子機器では、電気泳動表示装置の表示部における表示の保持のための電力消費量を小さくすることができる。
【００１７】
上記課題の少なくとも一つを解決するために本発明の一態様は、粒子を含む分散液を第１の電極と画素電極である第２の電極との間に配置してなる表示部の表示の書き換え期間には、前記第１の電極に対して第１の電圧を印加するとともに、前記第２の電極に対して第２の電圧を印加し、前記表示の保持期間には、前記第１の電極に対して前記第１の電圧よりも低い第３の電圧を印加するとともに、前記第２の電極に対して前記第２の電圧よりも低い第４の電圧を印加する、電気泳動表示装置の制御方法である。
この構成により、電気泳動表示装置の制御方法では、表示の書き換え期間と比べて、表示の保持期間には、第１の電極および第２の電極に対して、より低い電圧を印加する。これにより、電気泳動表示装置の制御方法では、表示の保持のための電力消費量を小さくすることができる。
【００１８】
以上のように、本発明に係る電気泳動表示制御装置、電気泳動表示装置、電子機器および制御方法によれば、表示の書き換え期間と比べて、表示の保持期間には、第１の電極および第２の電極に対して、より低い電圧を印加する。これにより、本発明に係る電気泳動表示制御装置、電気泳動表示装置、電子機器および制御方法では、表示の保持のための電力消費量を小さくすることができる。
【図面の簡単な説明】
【００１９】
【図１】本発明の一実施形態（第１実施形態）に係る電気泳動表示御装置の構成例を示す図である。
【図２】本発明の一実施形態（第１実施形態）に係る画素の回路の構成例を示す図である。
【図３】本発明の一実施形態（第１実施形態）に係る画像生成部の構成例を示す図である。
【図４】本発明の一実施形態（第１実施形態）に係る第１の駆動方法に係るタイミングチャートを示す図である。
【図５】本発明の一実施形態（第１実施形態）に係る第２の駆動方法に係るタイミングチャートを示す図である。
【図６】（Ａ）〜（Ｃ）は本発明の実施形態（第２実施形態）に係る電子機器の概略的な構成例を示す図である。
【発明を実施するための形態】
【００２０】
本発明の実施形態について図面を参照して詳細に説明する。
【００２１】
（第１実施形態）
図１は、本発明の一実施形態（第１実施形態）に係る電気泳動表示装置１の構成例を示す図である。図１には、説明の便宜上、互いに直交するＸ軸およびＹ軸を示してある。
電気泳動表示装置１は、表示部３と、走査線駆動回路（画素駆動部）６と、データ線駆動回路（画素駆動部）７と、制御部１０１を備える。制御部１０１は、共通電源変調回路（電位制御部）８と、制御回路１０を備える。
【００２２】
表示部３には、画素２が、Ｙ軸方向に沿ってｍ個、Ｘ軸方向に沿ってｎ個のマトリクス状に形成されている。本実施形態では、ｍおよびｎは、それぞれ、２以上の整数である。
走査線駆動回路６は、表示部３をＸ軸方向に沿って延在する複数の走査線４（Ｙ１、Ｙ２、…、Ｙｍ）を介して画素２に接続されている。各走査線４ごとにｎ個の画素２が接続されている。
データ線駆動回路７は、表示部３をＹ軸方向に沿って延在する複数のデータ線５（Ｘ１、Ｘ２、…、Ｘｎ）を介して画素２に接続されている。各データ線５ごとにｍ個の画素２が接続されている。
【００２３】
共通電源変調回路８は、第１の制御線１１、第２の制御線１２、第１の電源線１３、第２の電源線１４、および共通電極電源配線１５を介して画素２に接続されている。走査線駆動回路６、データ線駆動回路７、および共通電源変調回路８は、制御回路１０により制御される。制御線１１、１２、電源線１３、１４、および共通電極電源配線１５は、すべての画素２において共通配線として用いられる。
【００２４】
本実施形態では、制御部１０１は、例えば、ＩＣ（Ｉｎｔｅｇｒａｔｅｄ  Ｃｉｒｃｕｉｔ）を用いて構成されている。
本実施形態では、共通電源変調回路８は、例えば、昇圧回路、発振回路、スイッチ回路を含む。昇圧回路は、電圧を昇圧する。発振回路は、所定のクロック信号を時間の基準として、パルス（本実施形態では、パルス電圧）を生成する。スイッチ回路は、入力と出力の切り替えを行う。なお、スイッチ回路が２種類の電圧（高電圧と低電圧）を交互に切り替えることでパルス電圧が生成されてもよく、この場合、発振回路の機能はスイッチ回路により実現されてもよい。
【００２５】
図２は、本発明の一実施形態（第１実施形態）に係る画素２の回路の構成例を示す図である。本実施形態では、各画素２の回路の構成は同じである。
画素２は、駆動用ＴＦＴ２４（画素スイッチング素子）と、メモリー回路であるＳＲＡＭ２５と、スイッチ回路３５と、画像生成部１１１を備える。画像生成部１１１は、画素電極（第２の電極）と、共通電極（第１の電極）と、これらの間に設けられる電気泳動の分散液を含む。
【００２６】
駆動用ＴＦＴ２４は、Ｎ−ＭＯＳ（Ｎｅｇａｔｉｖｅ  Ｍｅｔａｌ  Ｏｘｉｄｅ  Ｓｅｍｉｃｏｎｄｕｃｔｏｒ）で構成されている。駆動用ＴＦＴ２４のゲート部には走査線４、ソース側にはデータ線５、ドレイン側にはＳＲＡＭ２５が、それぞれ接続されている。駆動用ＴＦＴ２４は、走査線駆動回路６から走査線４を介して選択信号が入力される期間中、データ線５とＳＲＡＭ２５とを接続させることによって、データ線駆動回路７からデータ線５を介して入力される画像信号をＳＲＡＭ２５に入力させる。
【００２７】
ＳＲＡＭ２５は、２個のＰ−ＭＯＳ（Ｐｏｓｉｔｉｖｅ  Ｍｅｔａｌ  Ｏｘｉｄｅ  Ｓｅｍｉｃｏｎｄｕｃｔｏｒ）２５ｐ１、２５ｐ２、および２個のＮ−ＭＯＳ２５ｎ１、２５ｎ２を用いて構成されている。Ｐ−ＭＯＳ２５ｐ１、２５ｐ２のソース側に第１の電源線１３が接続され、Ｎ−ＭＯＳ２５ｎ１、２５ｎ２のソース側には第２の電源線１４が接続されている。したがって、Ｐ−ＭＯＳ２５ｐ１およびＰ−ＭＯＳ２５ｐ２のソース側が、ＳＲＡＭ２５の高電位電源端子ＰＨであり、Ｎ−ＭＯＳ２５ｎ１およびＮ−ＭＯＳ２５ｎ２のソース側がＳＲＡＭ２５の低電位電源端子ＰＬである。
【００２８】
スイッチ回路３５は、第１のトランスファゲート３６と第２のトランスファゲート３７を備えている。
第１のトランスファゲート３６は、Ｐ−ＭＯＳ３６ｐとＮ−ＭＯＳ３６ｎを備えている。
第２のトランスファゲート３７は、Ｐ−ＭＯＳ３７ｐとＮ−ＭＯＳ３７ｎを備えている。
第１のトランスファゲート３６のソース側は、第１の制御線１１と接続されている。第２のトランスファゲート３７のソース側は、第２の制御線１２と接続されている。各トランスファゲート３６、３７のドレイン側は、画像生成部１１１の画素電極に接続されている。
【００２９】
ＳＲＡＭ２５は、駆動用ＴＦＴ２４のドレイン側と接続された入力端子Ｎ１と、スイッチ回路３５と接続された第１の出力端子Ｎ２および第２の出力端子Ｎ３を備えている。
ＳＲＡＭ２５のＰ−ＭＯＳ２５ｐ１のドレイン側およびＮ−ＭＯＳ２５ｎ１のドレイン側は、ＳＲＡＭ２５の入力端子Ｎ１として機能する。入力端子Ｎ１は、駆動用ＴＦＴ２４のドレイン側と接続されるとともに、ＳＲＡＭ２５の第２の出力端子Ｎ３（Ｐ−ＭＯＳ２５ｐ２のゲート部およびＮ−ＭＯＳ２５ｎ２のゲート部）と接続されている。さらに、第２の出力端子Ｎ３は、第１のトランスファゲート３６のＮ−ＭＯＳ３６ｎのゲート部、および第２のトランスファゲート３７のＰ−ＭＯＳ３７ｐのゲート部に接続されている。
【００３０】
ＳＲＡＭ２５のＰ−ＭＯＳ２５ｐ２のドレイン側およびＮ−ＭＯＳ２５ｎ２のドレイン側は、ＳＲＡＭ２５の第１の出力端子Ｎ２として機能する。第１の出力端子Ｎ２は、Ｐ−ＭＯＳ２５ｐ１のゲート部およびＮ−ＭＯＳ２５ｎ１のゲート部と接続されるとともに、第１のトランスファゲート３６のＰ−ＭＯＳ３６ｐのゲート部、および第２のトランスファゲート３７のＮ−ＭＯＳ３７ｎのゲート部に接続されている。
【００３１】
ＳＲＡＭ２５は、駆動用ＴＦＴ２４から送られた画像信号を保持するとともに、スイッチ回路３５に画像信号を入力する。
スイッチ回路３５は、ＳＲＡＭ２５から入力された画像信号に基づいて、第１の制御線１１および第２の制御線１２のいずれかを択一的に選択し、選択した線を画像生成部１１１の画素電極と接続させるセレクターとして機能する。このとき、第１のトランスファゲート３６および第２のトランスファゲート３７は、画像信号のレベルに応じて一方のみが動作する。
【００３２】
具体的には、画像信号としてＳＲＡＭ２５の入力端子Ｎ１にハイレベル（Ｈ）が入力されると、第１の出力端子Ｎ２からはローレベル（Ｌ）が出力され、第１の出力端子Ｎ２に接続されたトランジスターのうち、Ｐ−ＭＯＳ３６ｐが動作し、また、第２の出力端子Ｎ３（入力端子Ｎ１）と接続されたＮ−ＭＯＳ３６ｎが動作してトランスファゲート３６が駆動される。これにより、第１の制御線１１と画像生成部１１１の画素電極とが電気的に接続される。
一方、画像信号としてＳＲＡＭ２５の入力端子Ｎ１にローレベル（Ｌ）が入力されると、第１の出力端子Ｎ２からはハイレベル（Ｈ）が出力され、第１の出力端子Ｎ２に接続されたトランジスターのうち、Ｐ−ＭＯＳ３７ｎが動作し、また、第２の出力端子Ｎ３（入力端子Ｎ１）と接続されたＮ−ＭＯＳ３７ｐが動作してトランスファゲート３７が駆動される。これにより、第２の制御線１２と画像生成部１１１の画素電極とが電気的に接続される。
そして、動作した方のトランスファゲート３６、３７を介して、第１の制御線１１または第２の制御線１２が画像生成部１１１の画素電極と導通し、当該画素電極に電位が入力される。
【００３３】
本実施形態では、第１の制御線１１に第１の電圧の信号Ｓ１が印加されており、第２の制御線１２に第２の電圧の信号Ｓ２が印加されている。
本実施形態では、第１の電源線１３に電圧Ｖｄｄ（Ｖｄｄ＞０）が印加されており、第２の電源線１４に電圧Ｖｓｓ（Ｖｓｓ＞０）が印加されており、共通電極電源配線１５に電圧Ｖｃｏｍ（Ｖｃｏｍ＞０）が印加されている。
【００３４】
図３は、本発明の一実施形態（第１実施形態）に係る画像生成部１１１の構成例を示す図である。図３は、電気泳動表示装置１における画像生成部１１１（表示部３の画素２の一部）の部分断面図である。
画像生成部１１１は、対向基板２２１と、素子基板２２２と、複数個の隔壁２２３−１〜２２３−３と、共通電極２０１と、複数（本実施形態では、ｍ×ｎ）個の画素電極２０２−１、２０２−２と、分散媒２１１と、複数の白色粒子２１２と、複数の黒色粒子２１３を備える。分散媒２１１と、白色粒子２１２と、黒色粒子２１３により、分散液が構成されている。
ここで、白色粒子２１２は白色に対応する帯電した電気泳動粒子であり、黒色粒子２１３は黒色に対応する帯電した電気泳動粒子である。分散媒２１１は、白色粒子２１２および黒色粒子２１３を分散させる液体である。
【００３５】
対向基板２２１には、一方の面に、共通電極２０１が備えられている。
素子基板２２２には、一方の面に、画素電極２０２−１、２０２−２が備えられている。
素子基板２２２と対向基板２２１とは、共通電極２０１および画素電極２０２−１、２０２−２が内側となるように、互いに対向して配置されている。
素子基板２２２と対向基板２２１との間に備えられた複数個の隔壁２２３−１〜２２３−３により、素子基板２２２と対向基板２２１との間の領域が画素２ごとの複数の領域に区分されている。それぞれの画素２ごとの領域に、１個の画素電極２０２−１、２０２−２が設けられている。
【００３６】
素子基板２２２は、例えば、ガラスあるいはプラスティックなどからなる基板である。素子基板２２２上に画素電極２０２−１、２０２−２が形成されている。画素電極２０２−１、２０２−２は、それぞれの画素２ごとに矩形に形成されている。なお、図示を省略しているが、各画素電極２０２−１、２０２−２の間の領域あるいは画素電極２０２−１、２０２−２の下面の層（素子基板２２２側の層）には、図１および図２に示される走査線４、データ線５、制御線１１、１２、電源線１３、１４、共通電極電源配線１５、駆動用ＴＦＴ２４、ＳＲＡＭ２５、スイッチ回路３５などが形成されている。
【００３７】
対向基板２２１は、画像を表示する側となり、例えば、ガラス等の透光性を有する基板である。対向基板２２１上に形成される共通電極２０１には、透光性と導電性を有する材質が用いられ、例えばＭｇＡｇ（マグネシウム銀）、ＩＴＯ（インジウム・スズ酸化物）、ＩＺＯ（インジウム・亜鉛酸化物）等が用いられる。なお、共通電極２０１は、本実施形態では１個であるが、他の構成例として、本実施形態に係る共通電極２０１の代わりに、複数に分割された複数個の電極が用いられてもよい。これら複数個の電極は、例えば、画素ごとに設けられてもよい。
【００３８】
各画素電極２０２−１、２０２−２には、データ線５を伝送する画像信号に応じて、第１の制御線１１の信号Ｓ１または第２の制御線１２の信号Ｓ２のうちの一方の電圧が印加される。
共通電極２０１は、共通電極電源配線１５と接続されている。共通電極２０１には、電圧Ｖｃｏｍが印加されている。
画像生成部１１１では、画素２ごとに、画素電極２０２−１、２０２−２と共通電極２０１との電位差によって、画像が表示される。
【００３９】
分散媒２１１としては、例えば、水、メタノール、エタノール、イソプロパノール、ブタノール、オクタノール、メチルセルソルブ等のアルコール系溶媒、酢酸エチル、酢酸ブチル等の各種エステル類、アセトン、メチルエチルケトン、メチルイソブチルケトン等のケトン類、ぺンタン、ヘキサン、オクタン等の脂肪族炭化水素、シクロへキサン、メチルシクロへキサン等の脂環式炭化水素、ベンゼン、トルエン、キシレン、ヘキシルベンゼン、ヘブチルベンゼン、オクチルベンゼン、ノニルベンゼン、デシルベンゼン、ウンデシルベンゼン、ドデシルベンゼン、トリデシルベンゼン、テトラデシルベンゼン等の長鎖アルキル基を有するベンゼン類等の芳香族炭化水素、塩化メチレン、クロロホルム、四塩化炭素、１，２−ジクロロエタン等のハロゲン化炭化水素、カルボン酸塩またはその他の種々の油類等の単独またはこれらの混合物に界面活性剤等を配合したものを挙げることができる。
【００４０】
白色粒子２１２は、例えば、二酸化チタン、亜鉛華、三酸化アンチモン等の白色顔料からなる粒子（高分子あるいはコロイド）であり、例えば負に帯電されている。
黒色粒子２１３は、例えば、アニリンブラック、カーボンブラック等の黒色顔料からなる粒子（高分子あるいはコロイド）であり、例えば正に帯電されている。
この構成により、白色粒子２１２および黒色粒子２１３は、分散媒２１１の中で画素電極２０２−１、２０２−２と共通電極２０１との間の電位差によって発生する電場の中を移動する。
なお、白色顔料あるいは黒色顔料には、必要に応じて、電解質、界面活性剤、金属石鹸、樹脂、ゴム、油、ワニス、コンパウンド等の粒子からなる荷電制御剤、チタン系カップリング剤、アルミニウム系カップリング剤、シラン系カップリング剤等の分散剤、潤滑剤、安定化剤等が添加されてもよい。
【００４１】
例えば、画素電極２０２−１、２０２−２と共通電極２０１との間に、相対的に共通電極２０１の電圧が高くなるように電圧を印加する。すると、正に帯電された黒色粒子２１３はクーロン力によって画素電極２０２−１、２０２−２の側に引き寄せられる。一方、負に帯電された白色粒子２１２はクーロン力によって共通電極２０１の側に引き寄せられる。この結果、表示面の側（共通電極２０１の側）には白色粒子２１２が集まることになり、表示面には当該白色粒子２１２に対応する色（白色）が表示される。
【００４２】
逆に、画素電極２０２−１、２０２−２と共通電極２０１との間に相対的に画素電極２０２−１、２０２−２の電位が高くなるように電圧を印加する。すると、負に帯電された白色粒子２１２はクーロン力によって画素電極２０２−１、２０２−２の側に引き寄せられる。一方、正に帯電された黒色粒子２１３はクーロン力によって共通電極２０１の側に引き寄せられる。この結果、表示面の側（共通電極２０１の側）には黒色粒子２１３が集まることになり、表示面には当該黒色粒子２１３に対応する色（黒色）が表示される。
なお、白色粒子２１２、黒色粒子２１３に用いる顔料を、例えば、赤色、緑色、青色等の顔料に変えることによって、赤色、緑色、青色等を表示する電気泳動表示装置１とすることも可能である。
【００４３】
図３の例では、すべての画素２について共通電極２０１に電圧Ｖｃｏｍが印加されており、隣り合う２個の画素２の画素電極２０２−１、２０２−２にそれぞれ異なる電圧が印加されている。具体的には、画素電極２０２−１には共通電極２０１の電圧Ｖｃｏｍよりも低い電位となる第１の電圧の信号Ｓ１が印加されており、表示の色は白色になっている。一方、画素電極２０２−２には共通電極２０１の電圧Ｖｃｏｍよりも高い電位となる第２の電圧の信号Ｓ２が印加されており、表示の色は黒色になっている。
なお、これは一例であり、各画素２の表示の色は、それぞれ、任意であってもよい。
【００４４】
次に、図４および図５を参照して、本実施形態に係る電気泳動表示装置１の駆動方法について説明する。
図４は、本発明の一実施形態（第１実施形態）に係る第１の駆動方法に係るタイミングチャートを示す図である。
図４には、共通電極２０１に印加される電圧Ｖｃｏｍを示す線３０１と、表示の色を白色とする場合に画素電極（図４の例では、画素電極２０２−１とする。）に印加される第１の電圧の信号Ｓ１の電圧を示す線３０２と、表示の色を黒色とする場合に画素電極（図４の例では、画素電極２０２−２とする。）に印加される第２の電圧の信号Ｓ２の電圧を示す線３０３を示してある。これらのグラフの横軸は時刻ｔを表わしており、縦軸はそれぞれの電圧の大きさ（高さ）を表している。
【００４５】
時刻Ｔ１から時刻Ｔ２（Ｔ２＞Ｔ１＞０）の間は、表示の書き換え期間であるとする。時刻Ｔ２から時刻Ｔ３（Ｔ３＞Ｔ２）の間は、表示の保持期間であるとする。
表示の書き換え期間は、表示される色を書き換える期間であり、例えば、白色と黒色とを切り替える場合に白色粒子２１２および黒色粒子２１３の移動が開始されてから完了するまでの期間が設定される。この期間は、例えば、画像生成部１１１の材料などに応じて、あらかじめ設定されてもよい。この期間は、固定的な値（固定値）であってもよく、または、変化させられる値（可変値）であってもよい。
一例として、一般に温度に応じて分散液の粘性が変化することから、この期間は、温度に応じて変化させられてもよい。具体例として、温度を検出するセンサーと、温度と期間との対応を記憶するテーブルを備え、当該センサーにより検出された温度に対応する期間を当該テーブルから読み出して設定してもよい。
【００４６】
表示の書き換え期間に続く表示の保持期間は、表示の書き換え期間に書き換えられた表示の色を保持する期間である。表示の保持期間の後に、再び、次の表示の書き換え期間が発生し、以降も同様に、表示の書き換え期間および表示の保持期間の組み合わせが繰り返して発生する。表示の保持期間は、任意に設定されてもよい。一例として、表示の書き換え期間および表示の保持期間の組み合わせが一定の周期で発生する場合には、（１周期の時間から表示の書き換え期間を減じた結果の時間）が表示の保持期間となる。具体例として、表示の書き換え期間および表示の保持期間の組み合わせが１秒ごとに発生する場合に、表示の書き換え期間が０．２秒であるときには、表示の保持期間は０．８秒となる。
【００４７】
なお、本実施形態では、表示の書き換え期間および表示の保持期間の組み合わせが一定の周期で発生する場合を示すことから、例えば、表示の書き換えの前後で同じ色である場合（本実施形態では、白色から白色のままとなる場合、または、黒色から黒色のままとなる場合）にも、表示の書き換え期間が発生する。この場合、例えば、表示の保持期間に表示の色が劣化したときには、表示の書き換え期間において当該色（劣化していない色）が再び復元されることが発生し得る。
【００４８】
図４の例を説明する。
表示の書き換え期間では、制御部１０１は、共通電極２０１の電圧Ｖｃｏｍとして、一定の電圧Ｖ１（＝Ｖｃｏｍ）を印加し続ける。この電圧Ｖ１は、０［Ｖ］よりも高い電圧である。
表示の書き換え期間では、制御部１０１は、白色の表示を行う画素電極２０２−１の信号Ｓ１の電圧として、一定の０（＝信号Ｓ１の電圧）を印加し続ける。
表示の書き換え期間では、制御部１０１は、黒色の表示を行う画素電極２０２−２の信号Ｓ２の電圧として、一定の電圧Ｖ２（＝信号Ｓ２の電圧）を印加し続ける。この電圧Ｖ２は、電圧Ｖ１よりも高い電圧である。
【００４９】
表示の保持期間では、制御部１０１は、共通電極２０１の電圧Ｖｃｏｍとして、一定の電圧Ｖ３（＝Ｖｃｏｍ）を印加し続ける。この電圧Ｖ３は、０［Ｖ］よりも高く、電圧Ｖ１よりも低い電圧である。
表示の保持期間では、制御部１０１は、白色の表示を行う画素電極２０２−１の信号Ｓ１の電圧として、一定の０（＝信号Ｓ１の電圧）を印加し続ける。つまり、この信号Ｓ１の電圧は、表示の書き換え期間および表示の保持期間において、０のまま維持される。
表示の保持期間では、制御部１０１は、黒色の表示を行う画素電極２０２−２の信号Ｓ２の電圧として、一定の電圧Ｖ４（＝信号Ｓ２の電圧）を印加し続ける。この電圧Ｖ４は、電圧Ｖ３以上の電圧（つまり、電圧Ｖ３、または、電圧Ｖ３よりも高い電圧）である。また、本実施形態では、この電圧Ｖ４は、電圧Ｖ２よりも低い電圧である。
【００５０】
ここで、共通電極２０１と白色の表示を行う画素電極２０２−１との間の電位差については、表示の書き換え期間および表示の保持期間において共通電極２０１の方が電位が高い。この電位差は、表示の書き換え期間の方が大きく、これにより、表示の書き換えを可能とし、表示の書き換えに要する時間を短くすることができる。また、この電位差は、表示の保持期間の方が小さいが、表示の保持にとっては十分な電位差としてある。また、共通電極２０１に印加する電圧Ｖｃｏｍは、表示の書き換え期間と比べて、表示の保持期間では低くされるため、表示の保持に要する消費電力を小さくすることができる。
【００５１】
共通電極２０１と黒色の表示を行う画素電極２０２−２との間の電位差については、表示の書き換え期間において画素電極２０２−２の方が電位が高い。また、この電位差については、表示の保持期間において、画素電極２０２−２の方が電位が高い、または、画素電極２０２−２と共通電極２０１とで電位が同じ（等電位）である。共通電極２０１に印加する電圧Ｖｃｏｍおよび画素電極２０２−２に印加する電圧（信号Ｓ２の電圧）は、表示の書き換え期間と比べて、表示の保持期間では低くされるため、表示の保持に要する消費電力を小さくすることができる。
【００５２】
なお、表示の保持期間において、画素電極２０２−２と共通電極２０１とで電位が同じ構成を採用する場合には、表示を元の状態に戻す（書き換え期間の状態に戻す）作用はないが、少なくとも表示の状態を変更する（他の状態へ書き換える）作用はない。この構成では、表示の保持期間において表示の状態が次第に劣化することは問題ない程度であるとする。
【００５３】
具体例として、電気泳動表示装置１の電源電圧が３［Ｖ］であるとして、Ｖ１＝１５［Ｖ］、Ｖ２＝１６［Ｖ］、Ｖ３＝３［Ｖ］、Ｖ４＝３［Ｖ］または４［Ｖ］、とすることが可能である。ここで、各電圧の設定値としては、例えば、以上で説明した高低の関係（大小の関係であり、ここでは、等しい場合も含む。）が保たれていれば、他の様々な値が用いられてもよい。また、０［Ｖ］の代わりに、それよりも高い値が用いられてもよい。
【００５４】
図５は、本発明の一実施形態（第１実施形態）に係る第２の駆動方法に係るタイミングチャートを示す図である。
図５には、共通電極２０１に印加される電圧Ｖｃｏｍを示す線３１１と、表示の色を白色とする場合に画素電極（図５の例では、画素電極２０２−１とする。）に印加される第１の電圧の信号Ｓ１の電圧を示す線３１２と、表示の色を黒色とする場合に画素電極（図５の例では、画素電極２０２−２とする。）に印加される第２の電圧の信号Ｓ２の電圧を示す線３１３を示してある。これらのグラフの横軸は時刻ｔを表わしており、縦軸はそれぞれの電圧の大きさ（高さ）を表している。
【００５５】
時刻Ｔ１１から時刻Ｔ１２（Ｔ１２＞Ｔ１１＞０）の間は、表示の書き換え期間であるとする。時刻Ｔ１２から時刻Ｔ１３（Ｔ１３＞Ｔ１２）の間は、表示の保持期間であるとする。
ここで、表示の書き換え期間および表示の保持期間については、図４に示される第１の駆動方法について説明したのと同様である。
【００５６】
図５の例を説明する。
表示の書き換え期間では、制御部１０１は、共通電極２０１の電圧Ｖｃｏｍとして、最大電圧Ｖ１１および最小電圧０を有する周期Ｐ１（Ｐ１＞０）のパルス電圧（＝Ｖｃｏｍ）を印加し続ける。この電圧Ｖ１１は、０［Ｖ］よりも高い電圧である。
表示の書き換え期間では、制御部１０１は、白色の表示を行う画素電極２０２−１の信号Ｓ１の電圧として、一定の０（＝信号Ｓ１の電圧）を印加し続ける。
表示の書き換え期間では、制御部１０１は、黒色の表示を行う画素電極２０２−２の信号Ｓ２の電圧として、一定の電圧Ｖ１２（＝信号Ｓ２の電圧）を印加し続ける。この電圧Ｖ１２は、電圧Ｖ１１以上の電圧（つまり、電圧Ｖ１１、または、電圧Ｖ１１よりも高い電圧）である。
【００５７】
表示の保持期間では、制御部１０１は、共通電極２０１の電圧Ｖｃｏｍとして、最大電圧Ｖ１３および最小電圧０を有する周期Ｐ２（Ｐ２＞Ｐ１）のパルス電圧（＝Ｖｃｏｍ）を印加し続ける。この電圧Ｖ１３は、０［Ｖ］よりも高く、電圧Ｖ１１よりも低い電圧である。
なお、本実施形態では、周期Ｐ２は周期Ｐ１より大きいが、他の構成例として、周期Ｐ２が周期Ｐ１より小さい構成が用いられてもよい。また、他の構成例として、周期の変更が行われなくてもよく、つまり、周期Ｐ２と周期Ｐ１とが等しい構成が用いられてもよい。
表示の保持期間では、制御部１０１は、白色の表示を行う画素電極２０２−１の信号Ｓ１の電圧として、一定の０（＝信号Ｓ１の電圧）を印加し続ける。つまり、この信号Ｓ１の電圧は、表示の書き換え期間および表示の保持期間において、０のまま維持される。
表示の保持期間では、制御部１０１は、黒色の表示を行う画素電極２０２−２の信号Ｓ２の電圧として、一定の電圧Ｖ１４（＝信号Ｓ２の電圧）を印加し続ける。この電圧Ｖ１４は、電圧Ｖ１３以上の電圧（つまり、電圧Ｖ１３、または、電圧Ｖ１３よりも高い電圧）である。また、本実施形態では、この電圧Ｖ１４は、電圧Ｖ１２よりも低い電圧である。
【００５８】
ここで、共通電極２０１と白色の表示を行う画素電極２０２−１との間の電位差については、表示の書き換え期間および表示の保持期間において、共通電極２０１のパルス電圧がＶ１１またはＶ１３であるときには共通電極２０１の方が電位が高く、共通電極２０１のパルス電圧が０であるときには等電位である。この電位差は、表示の書き換え期間の方が大きく、これにより、表示の書き換えを可能とし、表示の書き換えに要する時間を短くすることができる。また、この電位差は、表示の保持期間の方が小さいが、表示の保持にとっては十分な電位差としてある。また、共通電極２０１に印加する電圧Ｖｃｏｍは、表示の書き換え期間と比べて、表示の保持期間では低くされるため、表示の保持に要する消費電力を小さくすることができる。
【００５９】
共通電極２０１と黒色の表示を行う画素電極２０２−２との間の電位差については、表示の書き換え期間および表示の保持期間において、共通電極２０１のパルス電圧がＶ１１またはＶ１３であるときには等電位または画素電極２０２−２の方が電位が高く、共通電極２０１のパルス電圧が０であるときには画素電極２０２−２の方が電位が高い。共通電極２０１に印加する電圧Ｖｃｏｍおよび画素電極２０２−２に印加する電圧（信号Ｓ２の電圧）は、表示の書き換え期間と比べて、表示の保持期間では低くされるため、表示の保持に要する消費電力を小さくすることができる。
【００６０】
図５の例では、制御部１０１は、内部（例えば、共通電源変調回路８の内部）に可変の周波数（例えば、高い周波数と、低い周波数）のパルス信号を発振する発振回路を備え、パルス信号の電圧を可変として共通電極２０１に駆動パルスを供給することが可能である。本実施形態のように、表示の保持のために、低電圧かつ低周波数の駆動パルスを使用する場合には、回路を小規模かつ低消費電力にすることが可能である。
【００６１】
なお、表示の保持期間において、画素電極２０２−２と共通電極２０１とで電位が同じ期間（タイミング）が存在する構成を採用する場合には、当該期間（タイミング）では、表示を元の状態に戻す（書き換え期間の状態に戻す）作用はないが、少なくとも表示の状態を変更する（他の状態へ書き換える）作用はない。この構成では、表示の保持期間において表示の状態が次第に劣化することは問題ない程度であるとする。
【００６２】
具体例として、電気泳動表示装置１の電源電圧が３［Ｖ］であるとして、Ｖ１１＝１５［Ｖ］、Ｖ１２＝１５［Ｖ］または１６［Ｖ］、Ｖ１３＝３［Ｖ］、Ｖ１４＝３［Ｖ］または４［Ｖ］、とすることが可能である。ここで、各電圧の設定値としては、例えば、以上で説明した高低の関係（大小の関係であり、ここでは、等しい場合も含む。）が保たれていれば、他の様々な値が用いられてもよい。また、０［Ｖ］の代わりに、それよりも高い値が用いられてもよい。
【００６３】
ここで、図４および図５の例では、画素電極２０２−１、２０２−２に印加される電圧として、定電圧（表示の書き換え期間と表示の保持期間との間での電圧の切り替えを除く。）が用いられたが、図５の例における共通電極２０１に印加される電圧のように、パルス電圧が用いられてもよい。
【００６４】
以上のように、本実施形態に係る電気泳動表示装置１では、電気泳動表示制御装置（例えば、駆動ＩＣなどを有する制御部１０１の装置）によって、共通電極２０１への電圧印加、および、共通電極２０１よりも高い電圧により画像を書き換える画素電極（図４および図５の例では、画素電極２０２−２）への電圧印加に関し、表示部３（例えば、パネル）の書き換え期間中よりも、その後の保持期間において、印加する電圧を下げて印加し続ける。
したがって、本実施形態に係る電気泳動表示装置１では、電気泳動粒子（本実施形態では、白色粒子２１２、黒色粒子２１３）を含む分散液が低保持性である表示パネルを使用した場合においても、低消費電力で、画像の書き換え後の電気泳動粒子の分散状態を維持することができ、これにより、表示された画像を維持することができる。本実施形態に係る電気泳動表示装置１では、例えば、表示部３に低保持材料が用いられる場合においても、長時間の保持が可能となり、保持特性を高めて、表示品位を保つことが可能である。
【００６５】
ここで、本実施形態では、電気泳動粒子の数が２である場合を示したが、他の構成例として、電気泳動粒子の数が１であってもよく、または、電気泳動粒子の数が３以上であってもよい。
また、本実施形態では、画像生成部１１１において、図３に示される形状の隔壁２２３−１〜２２３−３を備える場合を示したが、他の形状の隔壁が用いられてもよい。また、本実施形態では、１個ずつの画素電極２０２−１、２０２−２ごとに分散液を区切る隔壁を備えたが、他の構成例として、２個以上の画素電極ごとに分散液を区切る隔壁を備えてもよい。
また、本実施形態では、分散液を区切る隔壁が用いられたが、他の構成例として、分散液を含むカプセルなどが用いられてもよい。
【００６６】
（変形例）
本実施形態では、図２に示される９Ｔｒ回路（９個のトランジスターを有する回路）を用いて各画素２が構成されたが、その代わりに、他の構成例として、１Ｔ１Ｃ回路（１個のトランジスターと１個のコンデンサーを有する回路）を用いて各画素２が構成されてもよい。
【００６７】
（第２実施形態）
図６（Ａ）〜図６（Ｃ）は、本発明の実施形態（第２実施形態）に係る電子機器の概略的な構成例を示す図である。本実施形態では、以上の実施形態に係る電気泳動表示装置１を適用した電子機器の具体例を示す。
【００６８】
図６（Ａ）は、電子機器の一例である電子ブック５０１を示す斜視図である。
電子ブック５０１は、ブック形状のフレーム５１１と、以上の実施形態に係る電気泳動表示装置１が適用された表示部５１２と、操作部５１３を備える。
図６（Ｂ）は、電子機器の一例である腕時計５５１を示す斜視図である。
腕時計５５１は、以上の実施形態に係る電気泳動表示装置１が適用された表示部５６１を備える。
図６（Ｃ）は、電子機器の一例である電子ペーパー５７１を示す斜視図である。
電子ペーパー５７１は、紙と同様の質感および柔軟性を有するリライタブルシートで構成される本体部５８１と、以上の実施形態に係る電気泳動表示装置１が適用された表示部５８２を備える。
なお、以上の実施形態に係る電気泳動表示装置１は、他の様々な電子機器に適用されてもよく、例えば、携帯電話、携帯用オーディオ機器等の電子機器の表示部、マニュアル等の業務用シート、教科書、問題集、情報シートなどに適用されてもよい。
【００６９】
以上のように、本実施形態に係る電子機器では、以上の実施形態に係る電気泳動表示装置１と同様な効果を得ることができる。
【００７０】
（以上の実施形態のまとめ）
一構成例として、電気泳動表示制御装置（本実施形態では、制御部１０１を含む装置）において、粒子（本実施形態では、白色粒子２１２、黒色粒子２１３）を含む分散液を第１の電極（本実施形態では、共通電極２０１）と画素電極である第２の電極（本実施形態では、画素電極２０２−１、２０２−２）との間に配置してなる表示部３の表示の書き換え期間には、共通電極２０１に対して第１の電圧（図４および図５の例における書き換え期間の電圧Ｖｃｏｍ）を印加するとともに、画素電極（図４および図５の例では、画素電極２０２−２）に対して第２の電圧（図４および図５の例における書き換え期間の信号Ｓ２の電圧）を印加し、表示の保持期間には、共通電極２０１に対して第１の電圧よりも低い第３の電圧（図４および図５の例における保持期間の電圧Ｖｃｏｍ）を印加するとともに、画素電極（図４および図５の例では、画素電極２０２−２）に対して第２の電圧よりも低い第４の電圧（図４および図５の例における保持期間の信号Ｓ２の電圧）を印加する。なお、粒子の数は、例えば、少なくとも１種類である。
一構成例として、電気泳動表示制御装置において、共通電極２０１に対して印加される電圧および前記画素電極に対して印加される電圧は、定電圧である（図４の例）。
一構成例として、電気泳動表示制御装置において、第２の電圧は、第１の電圧よりも高く、第４の電圧は、第３の電圧以上である（図４の例）。
一構成例として、電気泳動表示制御装置において、共通電極２０１に対して印加される電圧は、パルス電圧である（図５の例）。
一構成例として、電気泳動表示制御装置において、表示の書き換え期間には、第１の電圧として第１の周期（図５の例では、周期Ｐ１）のパルス電圧を印加し、表示の保持期間には、第３の電圧として第１の周期とは異なる第２の周期（図５の例では、周期Ｐ２）のパルス電圧を印加する。
一構成例として、電気泳動表示制御装置において、第２の電圧は、第１の電圧よりも高い期間（タイミング）があり、第４の電圧は、第３の電圧よりも高い期間（タイミング）がある（図５の例）。
一構成例として、電気泳動表示装置１において、以上のような電気泳動表示制御装置と、表示部３を備える。
一構成例として、電子機器において、上記のような電気泳動表示装置１を備える（図６（Ａ）、（Ｂ）、（Ｃ）の例）。
一構成例として、電気泳動表示装置１の制御方法において、粒子を含む分散液を共通電極と画素電極との間に配置してなる表示部の表示の書き換え期間には、共通電極に対して第１の電圧を印加するとともに、画素電極に対して第２の電圧を印加し、表示の保持期間には、共通電極に対して第１の電圧よりも低い第３の電圧を印加するとともに、画素電極に対して第２の電圧よりも低い第４の電圧を印加する。
【００７１】
以上、この発明の実施形態について図面を参照して詳述してきたが、具体的な構成はこの実施形態に限られるものではなく、この発明の要旨を逸脱しない範囲の設計等も含まれる。
【００７２】
なお、以上に説明した装置（例えば、電気泳動表示制御装置、電気泳動表示装置１、電子機器）における任意の構成部（例えば、制御部１０１など）の機能を実現するためのプログラムを、コンピューター読み取り可能な記録媒体（記憶媒体）に記録（記憶）し、そのプログラムをコンピューターシステムに読み込ませて実行するようにしてもよい。なお、ここでいう「コンピューターシステム」とは、オペレーティングシステム（ＯＳ：Ｏｐｅｒａｔｉｎｇ  Ｓｙｓｔｅｍ）あるいは周辺機器等のハードウェアを含むものとする。また、「コンピューター読み取り可能な記録媒体」とは、フレキシブルディスク、光磁気ディスク、ＲＯＭ（Ｒｅａｄ  Ｏｎｌｙ  Ｍｅｍｏｒｙ）、ＣＤ（Ｃｏｍｐａｃｔ  Ｄｉｓｋ）−ＲＯＭ等の可搬媒体、コンピューターシステムに内蔵されるハードディスク等の記憶装置のことをいう。さらに「コンピューター読み取り可能な記録媒体」とは、インターネット等のネットワークあるいは電話回線等の通信回線を介してプログラムが送信された場合のサーバーやクライアントとなるコンピューターシステム内部の揮発性メモリー（ＲＡＭ：Ｒａｎｄｏｍ  Ａｃｃｅｓｓ  Ｍｅｍｏｒｙ）のように、一定時間プログラムを保持しているものも含むものとする。
また、上記のプログラムは、このプログラムを記憶装置等に格納したコンピューターシステムから、伝送媒体を介して、あるいは、伝送媒体中の伝送波により他のコンピューターシステムに伝送されてもよい。ここで、プログラムを伝送する「伝送媒体」は、インターネット等のネットワーク（通信網）あるいは電話回線等の通信回線（通信線）のように情報を伝送する機能を有する媒体のことをいう。
また、上記のプログラムは、前述した機能の一部を実現するためのものであってもよい。さらに、上記のプログラムは、前述した機能をコンピューターシステムにすでに記録されているプログラムとの組み合わせで実現できるもの、いわゆる差分ファイル（差分プログラム）であってもよい。
【符号の説明】
【００７３】
１…電気泳動表示装置、２…画素、３、５１２、５６１、５８２…表示部、４…走査線、５…データ線、６…走査線駆動回路、７…データ線駆動回路、８…共通電源変調回路、１０…制御回路、１１、１２…制御線、１３、１４…電源線、１５…共通電極電源配線、１０１…制御部、２４…駆動用ＴＦＴ、２５…ＳＲＡＭ、３５…スイッチ回路、３６、３７…トランスファゲート、ＰＨ…高電位電源端子、ＰＬ…低電位電源端子、Ｎ１…入力端子、Ｎ２、Ｎ３…出力端子、１１１…画像生成部、２０１…共通電極、２０２−１、２０２−２…画素電極、２１１…分散媒、２１２…白色粒子、２１３…黒色粒子、２２１…対向基板、２２２…素子基板、２２３−１、２２３−２…隔壁、３０１〜３０３、３１１〜３１３…電圧を示す線、５０１…電子ブック、５１１…フレーム、５１３…操作部、５５１…腕時計、５７１…電子ペーパー、５８１…本体部
【図１】
2017021273.tif 000003
【図２】
2017021273.tif 000004
【図３】
2017021273.tif 000005
【図４】
2017021273.tif 000006
【図５】
2017021273.tif 000007
【図６】
2017021273.tif 000008